(57)【要約】      （修正有）【課題】貯水タンクにおいて、タンクを大きくすることなく、給水量を大きくした場合であっても、オーバーフロー管から排水できる水量を所定量確保し、エア溜まりの発生を防止し確実にオーバーフローさせることができるオーバーフロー管を提供する。【解決手段】貯水タンク１内に立設させ水供給手段２で供給した水が所定の水位以上になることを防止するオーバーフロー管３を備える貯水タンク１であって、オーバーフロー管３は、円筒状の外形を備え、外壁３０と内壁３１とを連通する連通路３２を円周方向に等間隔で複数配設させ、連通路３２は、半径方向から内壁３１の接線方向側に傾けて形成され、連通路３２から流入する水は、オーバーフロー管３の内壁３１に沿って螺旋状に流下し、オーバーフロー管３の中心に排気路を形成する貯水タンク１である。【選択図】図１
2019203278.tif 000002
【特許請求の範囲】
【請求項１】
貯水タンク内に立設させ水供給手段で供給した水が所定の水位以上になることを防止するオーバーフロー管を備える貯水タンクであって、
該オーバーフロー管は、円筒状の外形を備え、外壁と内壁とを連通する連通路を円周方向に等間隔で複数配設させ、
該連通路は、半径方向から内壁の接線方向側に傾けて形成され、該連通路から流入する水は、該オーバーフロー管の内壁に沿って螺旋状に流下し、該オーバーフロー管の中心に排気路を形成する貯水タンク。
【発明の詳細な説明】
【技術分野】
【０００１】
本発明は、貯水タンクに関する。
【背景技術】
【０００２】
貯水タンクは、該タンクに供給する水がタンクから溢れ出さないように、タンク内の水が所定の水位以上になったら水をオーバーフローさせるためのオーバーフロー管を該タンク内に立設している（例えば、特許文献１参照）。
【先行技術文献】
【特許文献】
【０００３】
【特許文献１】特開２００９−０９１８９１号公報
【発明の概要】
【発明が解決しようとする課題】
【０００４】
タンク内の水のオーバーフローは、オーバーフロー管の上端が排水口となり、排水口から水を管内に進入させ排水して、タンク内の水位が所定の水位以上に上がらないようにしている。オーバーフローする水は、排水口の全周から管内に進入しており、タンクに供給する水量が多いと排水口から排水するべき水の量も増加する。そして、タンクから水を溢れさせなくするために大きな排水量を確保する必要があり、その対策として、オーバーフロー管の径を大きくすると良いが、タンクの容積がその分小さくなるので、必要なタンク内の容積を確保するためにタンク全体を大きくしなければならないという問題がある。また、従来のオーバーフロー管は、管内にエア溜まりが発生する場合があり、該エア溜まりが発生すると、一時的に排水量が低下してしまうという問題がある。
【０００５】
例えば、加工装置の加工具を高速回転させるスピンドルモータを冷却させる冷却水を、一定温度に維持させるための冷却ユニットがある。即ち、加工装置内又は外に冷却水を貯水するタンクと冷却ユニットとを配設して、タンクと冷却ユニットとスピンドルモータとに冷却水を循環させている。
冷却水は３ヶ月程度使用すると垢が発生する。垢が発生した冷却水は配管部品の動作不良を引き起こすことがあるので、冷却水を定期的に交換する必要が有る。その冷却水交換を瞬時に完了させたいために、大流量でタンクに給水するとオーバーフローする水量が増える。
【０００６】
よって、貯水タンクにおいては、タンクを大きくすることなく、上記のようにタンク内への水の供給量を大きくした場合であっても、オーバーフロー管から排水できる水の量をタンクから水を溢れさせなくするための量で確保し、エア溜まりによる排水量の低下を生じさせずに確実に所定の排水量でオーバーフローさせることができるようにするという課題がある。
【課題を解決するための手段】
【０００７】
上記課題を解決するための本発明は、貯水タンク内に立設させ水供給手段で供給した水が所定の水位以上になることを防止するオーバーフロー管を備える貯水タンクであって、該オーバーフロー管は、円筒状の外形を備え、外壁と内壁とを連通する連通路を円周方向に等間隔で複数配設させ、該連通路は、半径方向から内壁の接線方向側に傾けて形成され、該連通路から流入する水は、該オーバーフロー管の内壁に沿って螺旋状に流下し、該オーバーフロー管の中心に排気路を形成する貯水タンクである。
【発明の効果】
【０００８】
本発明に係る貯水タンクは、オーバーフロー管は、円筒状の外形を備え、外壁と内壁とを連通する連通路を円周方向に等間隔で複数配設させ、連通路は、半径方向から内壁の接線方向側に傾けて形成され、該連通路から流入する水は、オーバーフロー管の内壁に沿って螺旋状に流下し、オーバーフロー管の中心に排気路を形成することで、排水時に管内にエア溜まりが発生することを防ぐことが可能となる。そのため、オーバーフロー管の管径を大きくしないでも、所定の排水量でオーバーフローが可能となり、タンクの容積を大きくせずに済む。また、エア溜まりによる排水量の低下を生じさせずに、確実に所定の排水量でオーバーフローさせることができる。
【図面の簡単な説明】
【０００９】
【図１】貯水タンクの一例を示す斜視図である。
【図２】貯水タンクの一例を示す断面図である。
【図３】図３（Ａ）は、上端面に連通路が形成されたオーバーフロー管の一例を示す縦断面図である。図３（Ｂ）は、上端面に連通路が形成されたオーバーフロー管の一例を示す平面図である。
【図４】図４（Ａ）は、上端面に連通路が形成されたオーバーフロー管の別例を示す縦断面図である。図４（Ｂ）は、上端面に連通路が形成されたオーバーフロー管の別例を示す平面図である。
【図５】図５（Ａ）は、管の上端面よりも下方の位置（厚み中）に連通路が形成されたオーバーフロー管の一例を示す縦断面図である。図５（Ｂ）は、管の上端面よりも下方の位置（厚み中）に連通路が形成されたオーバーフロー管の一例を示す平面図である。
【図６】図６（Ａ）は、従来のオーバーフロー管を示す縦断面図である。図６（Ｂ）は、従来のオーバーフロー管を示す平面図である。
【発明を実施するための形態】
【００１０】
図１、２に示す本発明に係る貯水タンク１は、例えば、矩形状の底板１０と、底板１０の外周から一体的に＋Ｚ方向に立ち上がる側壁１１とからなり、底板１０と側壁１１とで囲まれた空間に水を溜めることができる。
貯水タンク１の開口上方には、貯水タンク１に水を供給する水供給手段２が配設されている。水供給手段２は、例えば、貯水タンク１内に水を供給する供給パイプ２０を備えており、供給パイプ２０は、ポンプ等からなる水供給源２１に開閉バルブ２２を介して連通している。
【００１１】
貯水タンク１内には、水供給手段２で供給した水が所定の水位以上になることを防止するオーバーフロー管３が、供給パイプ２０とずらして配設されている。オーバーフロー管３は、例えば、貯水タンク１の底板１０を貫通して直立しており、円筒状の外形を備えており、その下端側は、貯水タンク１外の排水路に連通している。
【００１２】
図１〜３（Ａ）、（Ｂ）に示すようにオーバーフロー管３には、外壁３０と内壁３１とを連通する連通路３２が円周方向に等間隔で複数（例えば、６つ）配設されている。なお、連通路３２の数は、例えば、３つであってもよいし、９つであってもよい。
図１〜３（Ａ）、（Ｂ）に示す例においては、連通路３２は、オーバーフロー管３の上端面に露出する形で、オーバーフロー管３の半径方向から内壁３１の接線方向側に所定角度傾けて形成されている。即ち、図１〜３（Ａ）、（Ｂ）に示す例においては、オーバーフロー管３の上端面を、オーバーフロー管３の半径方向から内壁３１の接線方向側に所定角度傾けて斜めに切欠くことで、直線溝状の連通路３２が形成されている。
【００１３】
なお、連通路３２は、オーバーフロー管３の半径方向から内壁３１の接線方向側に傾けて形成されていればよい、即ち、連通路３２内に流入した水がオーバーフロー管３の中心に向かわず内壁３１の接線方向に向かうベクトルでオーバーフロー管３内へ進入していくよう流れが整えられるように形成されていればよい。したがって、連通路３２は、図３（Ａ）、（Ｂ）に示すように全長が直線状となっている形状に限定されず、図４（Ａ）、（Ｂ）に示す連通路３２Ａのように、外壁３０側が緩やかに曲がって形成されていてもよい。
【００１４】
連通路３２はオーバーフロー管３の上端面に露出する形で形成される例に限定されず、図５（Ａ）、（Ｂ）に示すように、例えば、オーバーフロー管３の上端面から少しだけ下方の位置において、外壁３０と内壁３１とを貫通するようにして、オーバーフロー管３の半径方向から内壁３１の接線方向側に所定角度傾けて形成されていてもよい。なお、オーバーフロー管３における連通路３２の配設高さ位置は、貯水タンク１に設定する最大水位を基準に定められる。
【００１５】
次に本発明に係る図１に示す貯水タンク１の動作について説明する。
図１、２に示す開閉バルブ２２が開かれた状態で、水供給源２１から供給パイプ２０に対して水が例えば大流量で供給され、供給パイプ２０から流出した水が貯水タンク１内に溜められていく。そして、貯水タンク１内の水の水面が貯水タンク１に設定する最大水位を超えると、オーバーフローした水が、図３（Ａ）及び（Ｂ）、図４（Ａ）及び（Ｂ）、又は図５（Ａ）及び（Ｂ）に示すように、オーバーフロー管３内の連通路３２（連通路３２Ａ）内に流入していく。
【００１６】
各連通路３２（連通路３２Ａ）内に流入した水は、内壁３１の接線方向に向かうベクトルでオーバーフロー管３内へ流入するため、オーバーフロー管３内に螺旋状に流下する水の流れが形成され、螺旋状に流下する水はオーバーフロー管３の内壁３１に沿って押し付けられるように下方に流れていくため、オーバーフロー管３の中心に排気路が形成される。
【００１７】
例えば、図６（Ａ）及び（Ｂ）に示すように、連通路３２（連通路３２Ａ）を備えない従来のオーバーフロー管３Ｂにおいては、オーバーフロー管３Ｂの上端全周から水がオーバーフロー管３Ｂ内に流れ込み、管内にエア溜まりが形成されてしまい、該エア溜まりによってオーバーフロー管３Ｂ内の水の流れが部分的に滞ってしまい、排水量の低下を招く場合がある。
【００１８】
一方、本発明に係る貯水タンク１に備える図３（Ａ）及び（Ｂ）、図４（Ａ）及び（Ｂ）、又は図５（Ａ）及び（Ｂ）に示すオーバーフロー管３は、先に説明したとおり、各連通路３２（連通路３２Ａ）から流入する水が、オーバーフロー管３の内壁３１に沿って螺旋状に流下し、オーバーフロー管３の中心に排気路が形成されるため、エア溜まりが発生してしまうことがなくなり、オーバーフロー管３内の水の流れが滞ってしまうことが無いようになる。よって、オーバーフロー管３の管径を大きくしないでも、所定の排水量で継続的にオーバーフローが可能となったため、貯水タンク１の容積を大きくせずに済む。また、エア溜まりによる排水量の低下を生じさせずに、確実に所定の排水量でオーバーフローさせることができる。
【００１９】
なお、本発明に係る貯水タンク１は上記実施形態に限定されるものではなく、また、添付図面に図示されているオーバーフロー管３等各構成の形状等についても、これに限定されず、本発明の効果を発揮できる範囲内で適宜変更可能である。
【符号の説明】
【００２０】
１：貯水タンク
２：水供給手段  ２０：供給パイプ  ２１：水供給源  ２２：開閉バルブ
３：オーバーフロー管  ３０：外壁  ３１：内壁  ３２：連通路  ３２Ａ：連通路
【図１】
2019203278.tif 000003
【図２】
2019203278.tif 000004
【図３】
2019203278.tif 000005
【図４】
2019203278.tif 000006
【図５】
2019203278.tif 000007
【図６】
2019203278.tif 000008